(57)【要約】【要  約】【課  題】作業能率と大型擁壁ブロックで有り乍ら軽量化し、安全性を高めた大型擁壁ブロックを提供する。【解決手段】前面壁５及び後面壁６の各々のブロックを平行に組み、控え幅に合わせて金具１、２、３で固定し、前記金具１、２、３の寸法に依り自由に控え幅の調整ができるようにした大型擁壁用積みブロックであって、前面壁５上部の後方に突出する第１凸面７、後面壁６上部の前方に突出する第２凸面８、前面壁５下部の後方に突出する第３凸面９、後面壁６下部の前方に突出する第４凸面１０にそれぞれ前記金具１、２、３を取り付けるためのインサート穴を設けており、第１凸面７の上辺と第４凸面１０の下辺は水平方向に延び、第２凸面８の上辺と第３凸面９の下辺は対向するブロックに向かって内側に傾斜するようにした。【選択図】  図１
0003156212.tif 000002
【実用新案登録請求の範囲】
【請求項１】
前面壁及び後面壁の各々のブロックを平行に組み、控え幅に合わせて金具で固定し、前記金具の寸法に依り自由に控え幅の調整ができるようにした大型擁壁用積みブロックであって、前面壁上部の後方に突出する第１凸面、後面壁上部の前方に突出する第２凸面、前面壁下部の後方に突出する第３凸面、後面壁下部の前方に突出する第４凸面にそれぞれ前記金具を取り付けるためのインサート穴を設けており、第１凸面の上辺と第４凸面の下辺は水平方向に延び、第２凸面の上辺と第３凸面の下辺は対向するブロックに向かって内側に傾斜するようにしたものであることを特徴とする大型擁壁用積みブロック。
【請求項２】
第１凸面と第４凸面が平行四辺形であり、第２凸面と第３凸面が台形である請求項１記載の大型擁壁用積みブロック。
【考案の詳細な説明】
【技術分野】
【０００１】
本考案は道路新設、改良工事や宅地の造成工事の構築利用される大型擁壁用積みブロックに関した擁壁構造である。
【背景技術】
【０００２】
従来の大型擁壁ブロックは下部より左右及び上部方向に積み上げて構築されこの時、高低差でブロックの控え幅が、土圧と土質により安定計算の上サイズが（控え幅）決まり数種類の控え幅の大型擁壁ブロックから選定されていた。そのため、あらゆる控え幅の型枠が必要であり、今回の大型擁壁ブロックにより、１組の前面壁、後面壁ブロックで数十種類の型枠を減少することができ手間とコストを軽減することが出来た。
【０００３】
以下、図１、図２、について従来の大型擁壁ブロックは前面壁５と後面壁６が固定されているのに対して、この考案に係る控幅自在大型擁壁ブロックの大きく違う所は前面壁５と後面壁６が個々の壁面となり控え金具の寸法調整で前面壁５と後面壁６を自由に控え幅設定し、一体化する事が出来る大型擁壁ブロックである。
【０００４】
固定金具１、２，３でネジ止４上下左右を固定し逆Ｚ状に付ける寸法により、自由に控え幅を設定出来る大型擁壁ブロックである。
【特許文献１】特開２００１−２４１０５５
【考案の開示】
【考案が解決しようとする課題】
【０００５】
従来は控え幅の異なる種類の大型擁壁ブロックを必要とした時、固定されているため必要な控え幅の種類の型枠を用意する必要があり、型枠で大変な経費が必要となり、製品と型枠の保管ヤードも必要とし、あらゆる面で支障をきたす様になる。また最適な施工が出来るような控えサイズが従来は無く、小さ過ぎとか、大き過ぎたりし擁壁の高低差にマッチした大型擁壁ブロックを求める要望があった。
【０００６】
本考案は、上述の様な従来の問題を解決すべくされたもので、適切な大型擁壁断面に対応できるように、控え幅を取り付け金具の選定で自由に調整出来るようにした。これにより、大型擁壁ブロックの種類を（控え幅）前面壁と後面壁で最適な大型擁壁ブロック及びこの大型擁壁ブロックを用いた擁壁構造を提供することを課題とした。
【課題を解決するための手段】
【０００７】
本考案は上記の目的を達成するために、前面壁上部の後方に突出する第１凸面、後面壁上部の前方に突出する第２凸面、前面壁下部の後方に突出する第３凸面、後面壁下部の前方に突出する第４凸面にそれぞれ前記金具を取り付けるためのインサート穴を設けており、第１凸面の上辺と第４凸面の下辺は水平方向に延び、第２凸面の上辺と第３凸面の下辺は対向するブロックに向かって内側に傾斜するようにし（請求項１）、また、第１凸面と第４凸面が平行四辺形であり、第２凸面と第３凸面が台形である（請求項２）構成とした。
【０００８】
また、この大型擁壁ブロックは組み立て平行に一体化するため簡単に組み立てが出来るよう専用組立機で簡単に組立が可能と成る。
【考案の効果】
【０００９】
上述した様に本考案は、軽量の為取り扱いがしやすく、施工現場に大型重機等が入らない箇所でも大型擁壁であり乍ら、小型重機で十分仕事が出来る事が従来の大型擁壁ブロックの仕事内容から考えても非常に施工性に優れている。
【００１０】
この大型擁壁ブロックは２個１体で組み合わせ1組の大型擁壁ブロック体に形成し使用される。また必要な控え幅に応じた金具の取り替えによって調整が出来、従来の様にサイズの異なる控え幅の種類の必要がなく、1種類のブロックで（２個1体）控え自由にサイズが整う事となり、コストが低減し何種類の型枠の在庫を必要としない。
【考案を実施するための最良の形態】
【００１１】
以下、本考案の実施の形態を図１〜図４に基づいて説明する。図１は実施の1形態であって、組ブロック体を形成した2対1組の大型擁壁ブロックを示す。金具を取り付けた大型擁壁ブロック側面図１、図２は大型擁壁ブロック体の上面図である。この大型擁壁ブロックは前面壁５と後面壁６を逆Ｚ状にして取り付け金具１，２，３で固定または逆Ｚ状に作成した取り付け金具で、２個1対に組み合わせて1組の大型擁壁ブロック体を形成するもので、この場合、図２に示すように前面壁５後面壁６の同一サイズで同一形状にされた前面壁突起部７，後面壁突起部８のインサート穴２０にボルト４を固定金具１，２，３で組み合わせる。
【００１２】
次に、図２は前記大型擁壁ブロックを用いて施工を行う際吊り上げアンカー１９は４箇所で吊金具を用いての取り付け箇所で、ずれ止め１１凸は図１の前面壁ずれ止め１４凹が入り後面ずれ止め１２凸は図１の凹１５に噛み合って、ずれ止めとなる。図１を形成した大型擁壁ブロックを左右方向に並列し上部方向に積み上げ上げられて構築される。この大型擁壁ブロックは控え幅を増減調節する為に、取り付け金具１，２，３を控え幅に応じた寸法で取替える事で自由に控え幅を変更できる。
【００１３】
次に、図３は前面壁の表面（擬石面）１３は自然にやさしく周囲にマッチした擬石面に仕上げている。図４は前面壁５及び後面壁６の裏側でインサート穴２０に取り付け金具１，２，３、をボルト４で前面壁５、後面壁６に固定し２個１体に形成していく。
【図面の簡単な説明】
【００１４】
【図１】本考案の実施形態を示す大型擁壁ブロックの部分断面図
【図２】大型擁壁ブロックの上部から見た図面
【図３】大型擁壁ブロックの前面から見た図面
【図４】大型擁壁ブロックの前面擁壁及び後面擁壁の裏から見た図面
【符号の説明】
【００１５】
１  大型擁壁ブロックの上面前後を固定する取り付け金具
２  大型擁壁ブロックの上下を固定する取り付け金具
３  大型擁壁ブロックの底面前後を固定する取り付け金具
４  大型擁壁ブロックの上下を固定する取り付け金具をとめるボルトナット
５  大型擁壁ブロック前面擁壁
６  大型擁壁ブロック後面擁壁
７  大型擁壁ブロック前面擁壁上部をボルト固定する凸面（第１凸面）
８  大型擁壁ブロック後面擁壁上部をボルト固定する凸面（第２凸面）
９  大型擁壁ブロック前面擁壁下部をボルト固定する凸面（第３凸面）
１０  大型擁壁ブロック後面擁壁下部をボルト固定する凸面（第４凸面）
１１  前面擁壁ブロックを上に積み重ね時の左右前後のずれ止め凸面
１２  後面擁壁ブロックを上に積み重ね時の左右前後のずれ止め凸面
１３  大型擁壁ブロック前面壁の化粧面（擬石面）
１４  大型擁壁ブロックを積み重ね時、前面擁壁上部の凸面に結合する前面擁壁凹面
１５  大型擁壁ブロックを積み重ね時、後面擁壁上部の凸面に結合する後面擁壁凹面
１６  水抜き穴を取り付ける前面壁擁壁固定部
１７  水抜き穴を取り付ける後面壁擁壁固定部
１８  水抜きパイプの通過部
１９  大型擁壁ブロックを設置時の吊金具の取り付け吊り上げアンカー
２０  大型擁壁ブロックの前面後面上下を固定するネジ込みインサート穴
【図１】
0003156212.tif 000003
【図２】
0003156212.tif 000004
【図３】
0003156212.tif 000005
【図４】
0003156212.tif 000006